【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  一連の波形データを記憶した記憶手段と、
前記記憶手段に記憶された一連の波形データの時間軸上の異なる位置をそれぞれ示す複数の位置情報の中から任意の位置情報を選択する位置情報選択手段と、
前記記憶手段に記憶された一連の波形データを順次に再生する再生手段と、
前記再生手段による波形データの再生中に前記位置情報選択手段により位置情報が選択されたとき、前記再生手段による波形データの再生をその再生位置が該選択時の再生位置に対応した所定の位置情報に到達するまで継続した後に、前記位置情報選択手段により選択された位置情報へ、前記再生手段による波形データの再生位置を移動する再生位置移動手段と
を有する波形データ再生装置。
【請求項２】  一連の波形データを記憶した記憶手段と、
前記記憶手段に記憶された一連の波形データの時間軸上の異なる位置をそれぞれ示す複数の位置情報の中から任意の位置情報を選択する位置情報選択手段と、
前記記憶手段に記憶された一連の波形データを順次に再生する再生手段と、
前記位置情報選択手段によって選択された位置情報を記憶する位置情報記憶手段と、
前記再生手段による波形データの再生中に前記位置情報選択手段により位置情報が選択されたとき、前記再生手段による波形データの再生をその再生位置が該選択時の再生位置に対応した所定の位置情報に到達するまで継続する間に、前記位置情報選択手段によって新たな位置情報が選択された場合に、前記位置情報記憶手段に記憶された位置情報を前記新たな位置情報に更新する位置情報更新手段と、
前記再生手段による波形データの再生中に前記位置情報選択手段により位置情報が選択されたとき、前記再生手段による波形データの再生をその再生位置が該選択時の再生位置に対応した所定の位置情報に到達するまで継続した後に、前記位置情報記憶手段に記憶された位置情報へ、前記再生手段による波形データの再生位置を移動する再生位置移動手段と
を有する波形データ再生装置。
【請求項３】  請求項１に記載の波形データ再生装置において、
前記再生位置移動手段は、前記位置情報選択手段による位置情報の選択が行われない場合には、前記再生手段による波形データの再生を位置情報に関わらずに継続し、前記位置情報選択手段により位置情報が選択された場合には、前記再生手段による波形データの再生をその再生位置が該選択時の再生位置に対応した所定の位置情報に到達するまで継続した後に、前記位置情報選択手段により選択された位置情報へ、前記再生手段による波形データの再生位置を移動する
ものである波形データ再生装置。
【請求項４】  請求項２に記載の波形データ再生装置において、
前記再生位置移動手段は、前記位置情報選択手段による位置情報の選択が行われない場合には、前記再生手段による波形データの再生を位置情報に関わらずに継続し、前記位置情報選択手段により位置情報が選択された場合には、前記再生手段による波形データの再生をその再生位置が該選択時の再生位置に対応した所定の位置情報に到達するまで継続した後に、前記位置情報記憶手段に記憶された位置情報へ、前記再生手段による波形データの再生位置を移動する
ものである波形データ再生装置。
【請求項５】  請求項１、２、３または４のいずれか１項に記載の波形データ再生装置において、
各位置情報間の時間軸方向の長さの最小単位は同一である
波形データ再生装置。
【請求項６】  請求項５に記載の波形データ再生装置において、
各位置情報間の時間軸方向の長さは任意に設定されている
波形データ再生装置。
【手続補正２】
【補正対象書類名】明細書
【補正対象項目名】０００７
【補正方法】変更
【補正の内容】
【０００７】
【課題を解決するための手段】
上述の課題を解決するために、本発明のうち請求項１に記載の発明は、一連の波形データを記憶した記憶手段と、上記記憶手段に記憶された一連の波形データの時間軸上の異なる位置をそれぞれ示す複数の位置情報の中から任意の位置情報を選択する位置情報選択手段と、上記記憶手段に記憶された一連の波形データを順次に再生する再生手段と、上記再生手段による波形データの再生中に上記位置情報選択手段により位置情報が選択されたとき、上記再生手段による波形データの再生をその再生位置が該選択時の再生位置に対応した所定の位置情報に到達するまで継続した後に、上記位置情報選択手段により選択された位置情報へ、上記再生手段による波形データの再生位置を移動する再生位置移動手段とを有するようにしたものである。
【手続補正３】
【補正対象書類名】明細書
【補正対象項目名】０００８
【補正方法】変更
【補正の内容】
【０００８】
従って、本発明のうち請求項１に記載の発明によれば、位置情報選択手段により位置情報が選択されたときには、所定の位置情報に到達するまで波形データを再生した後に、位置情報選択手段により選択された位置情報へ波形データの再生位置が移動されることになるので、一連の波形データの再生位置を現在再生中の再生位置から新たに設定された再生位置へ移行させる移行過程において、生成される楽音のリズム感が損なわれて不自然な演奏になることを防止することができる。
【手続補正４】
【補正対象書類名】明細書
【補正対象項目名】０００９
【補正方法】変更
【補正の内容】
【０００９】
また、本発明のうち請求項２に記載の発明は、一連の波形データを記憶した記憶手段と、上記記憶手段に記憶された一連の波形データの時間軸上の異なる位置をそれぞれ示す複数の位置情報の中から任意の位置情報を選択する位置情報選択手段と、上記記憶手段に記憶された一連の波形データを順次に再生する再生手段と、上記位置情報選択手段によって選択された位置情報を記憶する位置情報記憶手段と、上記再生手段による波形データの再生中に上記位置情報選択手段により位置情報が選択されたとき、上記再生手段による波形データの再生をその再生位置が該選択時の再生位置に対応した所定の位置情報に到達するまで継続する間に、上記位置情報選択手段によって新たな位置情報が選択された場合に、上記位置情報記憶手段に記憶された位置情報を上記新たな位置情報に更新する位置情報更新手段と、上記再生手段による波形データの再生中に上記位置情報選択手段により位置情報が選択されたとき、上記再生手段による波形データの再生をその再生位置が該選択時の再生位置に対応した所定の位置情報に到達するまで継続した後に、上記位置情報記憶手段に記憶された位置情報へ、上記再生手段による波形データの再生位置を移動する再生位置移動手段とを有するようにしたものである。
【手続補正５】
【補正対象書類名】明細書
【補正対象項目名】００１０
【補正方法】変更
【補正の内容】
【００１０】
従って、本発明のうち請求項２に記載の発明によれば、位置情報選択手段により位置情報が選択されたときには、所定の位置情報に到達するまで波形データを再生した後に、記憶手段に記憶された位置情報へ波形データの再生位置が移動されることになるので、一連の波形データの再生位置を現在再生中の再生位置から新たに設定された再生位置へ移行させる移行過程において、生成される楽音のリズム感が損なわれて不自然な演奏になることを防止することができる。
【手続補正６】
【補正対象書類名】明細書
【補正対象項目名】００１１
【補正方法】変更
【補正の内容】
【００１１】
さらに、本発明のうち請求項２に記載の発明によれば、位置情報選択手段により位置情報が選択されたときに、波形データの再生位置が所定の位置情報に到達する前に位置情報選択手段によって新たな位置情報が選択された場合には、位置情報記憶手段に記憶された位置情報をこの新たな位置情報に更新することになるので、波形データの再生位置が所定の位置情報に到達するまでは、波形データの再生位置の移動対象となる位置情報を任意に変更することができる。
【手続補正７】
【補正対象書類名】明細書
【補正対象項目名】００１２
【補正方法】変更
【補正の内容】
【００１２】
また、本発明のうち請求項３に記載の発明は、本発明のうち請求項１に記載の発明において、上記再生位置移動手段は、上記位置情報選択手段による位置情報の選択が行われない場合には、上記再生手段による波形データの再生を位置情報に関わらずに継続し、上記位置情報選択手段により位置情報が選択された場合には、上記再生手段による波形データの再生をその再生位置が該選択時の再生位置に対応した所定の位置情報に到達するまで継続した後に、上記位置情報選択手段により選択された位置情報へ、上記再生手段による波形データの再生位置を移動するようにしたものである。
【手続補正８】
【補正対象書類名】明細書
【補正対象項目名】００１３
【補正方法】変更
【補正の内容】
【００１３】
従って、本発明のうち請求項３に記載の発明によれば、位置情報選択手段により位置情報が選択されたときには、波形データの再生を所定の位置情報に到達するまで継続した後に、位置情報選択手段により選択された位置情報へ波形データの再生位置が移動されることになり、位置情報に基づかない中途の位置から位置情報選択手段により選択された位置情報へ波形データの再生位置が移動することがないため、一連の波形データの再生位置を現在再生中の再生位置から新たに設定された再生位置へ移行させる移行過程において、生成される楽音のリズム感が損なわれて不自然な演奏になることを防止することができる。
【手続補正９】
【補正対象書類名】明細書
【補正対象項目名】００１４
【補正方法】変更
【補正の内容】
【００１４】
また、本発明のうち請求項４に記載の発明は、本発明のうち請求項２に記載の発明において、上記再生位置移動手段は、上記位置情報選択手段による位置情報の選択が行われない場合には、上記再生手段による波形データの再生を位置情報に関わらずに継続し、上記位置情報選択手段により位置情報が選択された場合には、上記再生手段による波形データの再生をその再生位置が該選択時の再生位置に対応した所定の位置情報に到達するまで継続した後に、上記位置情報記憶手段に記憶された位置情報へ、上記再生手段による波形データの再生位置を移動するようにしたものである。
【手続補正１０】
【補正対象書類名】明細書
【補正対象項目名】００１５
【補正方法】変更
【補正の内容】
【００１５】
従って、本発明のうち請求項４に記載の発明によれば、位置情報選択手段により位置情報が選択されたときには、波形データの再生をその再生位置が該選択時の再生位置に対応した所定の位置情報に到達するまで継続した後に、位置情報記憶手段に記憶された位置情報へ波形データの再生位置が移動されることになり、位置情報に基づかない中途の位置から位置情報記憶手段に記憶された位置情報へ波形データの再生位置が移動することがないため、一連の波形データの再生位置を現在再生中の再生位置から新たに設定された再生位置へ移行させる移行過程において、生成される楽音のリズム感が損なわれて不自然な演奏になることを防止することができる。
【手続補正１１】
【補正対象書類名】明細書
【補正対象項目名】００１６
【補正方法】変更
【補正の内容】
【００１６】
また、本発明のうち請求項５に記載の発明は、本発明のうち請求項１、２、３または４のいずれか１項に記載の発明において、各位置情報間の時間軸方向の長さの最小単位を同一としたものである。
【手続補正１２】
【補正対象書類名】明細書
【補正対象項目名】００１７
【補正方法】変更
【補正の内容】
【００１７】
ここで、「最小単位」とは、例えば、「拍」や「小節」などの音楽的に意味のある単位を意味するものである。
【手続補正１３】
【補正対象書類名】明細書
【補正対象項目名】００１８
【補正方法】変更
【補正の内容】
【００１８】
また、本発明のうち請求項６に記載の発明は、本発明のうち請求項５に記載の発明において、各位置情報間の時間軸方向の長さを任意に設定するようにしたものである。
【手続補正１４】
【補正対象書類名】明細書
【補正対象項目名】００１９
【補正方法】変更
【補正の内容】
【００１９】
即ち、上記記憶手段に記憶された一連の波形データの各位置情報間の時間軸方向の長さは、それぞれ同一であってもよいし異なっていてもよいものである。